(57)【要約】【課題】  受信装置における消費電力を低減させるようにすることを目的とする。【解決手段】  送信装置から第１の画像データを受信するための第１の通信手段と、前記送信装置から第２の画像データを受信するための第２の通信手段と、前記第１の通信手段及び前記第２の通信手段の少なくとも一つに電力を供給する電力供給手段と、前記第１の画像データ及び前記第２の画像データに基づいて生成された画像を表示手段に表示させる制御手段とを有し、前記制御手段は、前記表示手段による画像の表示が終了したことに応じて、前記第１の通信手段及び前記第２の通信手段のいずれか一つへの電力の供給を制限するように前記電力供給手段を制御することを特徴とする。【選択図】  図１
2015019226.tif 000002
【特許請求の範囲】
【請求項１】
送信装置から第１の画像データを受信するための第１の通信手段と、
前記送信装置から第２の画像データを受信するための第２の通信手段と、
前記第１の通信手段及び前記第２の通信手段の少なくとも一つに電力を供給する電力供給手段と、
前記第１の画像データ及び前記第２の画像データに基づいて生成された画像データを表示手段に表示させる制御手段と
を有し、
前記制御手段は、前記表示手段による前記画像データの表示が終了したことに応じて、前記第１の通信手段及び前記第２の通信手段のいずれか一つへの電力の供給を制限するように前記電力供給手段を制御することを特徴とする受信装置。
【請求項２】
前記制御手段は、前記第１の画像データ及び前記第２の画像データの少なくとも一つが前記送信装置から受信されていないことに応じて、前記第１の通信手段及び前記第２の通信手段のいずれか一つへの電力の供給を制限するように前記電力供給手段を制御することを特徴とする請求項１に記載の受信装置。
【請求項３】
前記制御手段は、前記受信装置に関するデバイス情報を前記送信装置から要求されたか否かに応じて、前記第１の通信手段及び前記第２の通信手段のいずれか一つへの電力の供給を制限するか否かを制御することを特徴とする請求項１または２に記載の受信装置。
【請求項４】
前記制御手段は、前記第２の通信手段と前記送信手段とによる通信が可能な状態を維持しつつ、前記第１の通信手段への電力の供給を制限するように前記電力供給手段を制御することを特徴とする請求項１から３のいずれか１項に記載の受信装置。
【請求項５】
前記制御手段は、前記第１の通信手段への電力の供給が制限された場合、前記第２の通信手段が前記電力供給手段を制御するためのコマンドを前記送信装置から受信したか否かに応じて、前記第１の通信手段への電力の供給を開始するか否かを制御することを特徴とする請求項１から４のいずれか１項に記載の受信装置。
【請求項６】
前記第１の通信手段は、前記受信装置に関する第１のデバイス情報を格納する第１のメモリから読み出した前記第１のデバイス情報を前記送信装置に供給し、
前記第２の通信手段は、前記受信装置に関する第２のデバイス情報を格納する第２のメモリから読み出した前記第２のデバイス情報を前記送信装置に供給し、
前記制御手段は、前記第１の通信手段への電力の供給が制限された場合に、前記第２の通信手段が前記電力供給手段を制御するためのコマンドを前記送信装置から受信したことに応じて、前記第１のデバイス情報及び前記第２のデバイス情報の取得を前記送信装置に許可することを特徴とする請求項１から５のいずれか１項に記載の受信装置。
【請求項７】
前記制御手段は、前記第２の通信手段への電力の供給が制限された場合に、前記第１の通信手段が前記電力供給手段を制御するためのコマンドを前記送信装置から受信したことに応じて、前記第１のデバイス情報及び前記第２のデバイス情報の取得を前記送信装置に許可することを特徴とする請求項６に記載の受信装置。
【請求項８】
前記制御手段は、前記第１の通信手段と前記送信手段とによる通信が可能な状態を維持しつつ、前記第２の通信手段への電力の供給を制限するように前記電力供給手段を制御することを特徴とする請求項１から７のいずれか１項に記載の受信装置。
【請求項９】
前記制御手段は、前記第２の通信手段への電力の供給が制限された場合、前記第１の通信手段が前記電力供給手段を制御するためのコマンドを前記送信装置から受信したか否かに応じて、前記第２の通信手段への電力の供給を開始するか否かを制御することを特徴とする請求項１から８のいずれか１項に記載の受信装置。
【請求項１０】
送信装置から第１の画像データを受信するための第１の通信手段及び前記送信装置から第２の画像データを受信するための第２の通信手段の少なくとも一つに電力を供給するステップと、
前記第１の画像データ及び前記第２の画像データに基づいて生成された画像データを表示手段に表示させるステップと、
前記表示手段による前記画像データの表示が終了したことに応じて、前記第１の通信手段及び前記第２の通信手段のいずれか一つへの電力の供給を制限するステップとを有する制御方法。
【請求項１１】
送信装置から第１の画像データを受信するための第１の通信手段及び前記送信装置から第２の画像データを受信するための第２の通信手段の少なくとも一つに電力を供給するステップと、
前記第１の画像データ及び前記第２の画像データに基づいて生成された画像データを表示手段に表示させるステップと、
前記表示手段による前記画像データの表示が終了したことに応じて、前記第１の通信手段及び前記第２の通信手段のいずれか一つへの電力の供給を制限するステップと
をコンピュータに実行させるためのプログラム。
【請求項１２】
送信装置から第１の画像データを受信するための第１の通信手段及び前記送信装置から第２の画像データを受信するための第２の通信手段の少なくとも一つに電力を供給するステップと、
前記第１の画像データ及び前記第２の画像データに基づいて生成された画像データを表示手段に表示させるステップと、
前記表示手段による前記画像データの表示が終了したことに応じて、前記第１の通信手段及び前記第２の通信手段のいずれか一つへの電力の供給を制限するステップと
をコンピュータに実行させるためのプログラムを格納した記録媒体。
【発明の詳細な説明】
【技術分野】
【０００１】
本発明は、画像データや音声データを受信する受信装置等に関する。
【背景技術】
【０００２】
現在、４Ｋ２Ｋ（３８４０×２１６０）の高解像度の画像データを表示できる受信装置が提案されている。このような受信装置に高解像度な画像データを送信するために、送信装置と受信装置とを複数の通信インターフェースを用いて接続する通信システムが開示されている（特許文献１）。
【０００３】
上記の通信システムにおいて、送信装置は、高解像度の画像データを分割し、分割された各画像データを各通信インターフェースを介して受信装置に送信する。
【先行技術文献】
【特許文献】
【０００４】
【特許文献１】特開２０１３−３８７０６号公報
【発明の概要】
【発明が解決しようとする課題】
【０００５】
従来、受信装置は、送信装置が受信装置に画像データの送信を行っていない期間においても、各通信インターフェースごとに送信装置との通信を継続して行っていた。そのため、送信装置から受信装置に画像データの送信が行われていないにも関わらず、送信装置との通信を維持するために、受信装置において無駄に電力が消費されていた。
【０００６】
そこで、このような問題を解決するために、受信装置における消費電力を低減させるようにすることを目的とする。
【課題を解決するための手段】
【０００７】
本発明に係る受信装置は、送信装置から第１の画像データを受信するための第１の通信手段と、前記送信装置から第２の画像データを受信するための第２の通信手段と、前記第１の通信手段及び前記第２の通信手段の少なくとも一つに電力を供給する電力供給手段と、前記第１の画像データ及び前記第２の画像データに基づいて生成された画像を表示手段に表示させる制御手段とを有し、前記制御手段は、前記表示手段による画像の表示が終了したことに応じて、前記第１の通信手段及び前記第２の通信手段のいずれか一つへの電力の供給を制限するように前記電力供給手段を制御することを特徴とする。
【発明の効果】
【０００８】
本発明によれば、受信装置における消費電力を低減させるようにすることができる。
【図面の簡単な説明】
【０００９】
【図１】本発明の実施例１に係る通信システムの一例を示すブロック図である。
【図２】本発明の実施例１に係る送信装置によって行われる送信処理の一例を示すフローチャート図である。
【図３】本発明の実施例１に係る受信装置によって行われる受信処理の一例を示すフローチャート図である。
【発明を実施するための形態】
【００１０】
［実施例１］
以下、本発明の実施例１について、図面を参照して説明する。
【００１１】
実施例１に係る通信システムは、図１に示すように、送信装置１００、受信装置２００、ケーブル３００及び４００を有する。送信装置１００と受信装置２００とは、ケーブル３００を介して接続され、さらに、送信装置１００と受信装置２００とは、ケーブル４００を介して接続される。なお、ケーブル３００及び４００は、Ｄｉｓｐｌａｙ  Ｐｏｒｔ（登録商標）規格に準拠した通信インターフェースである。送信装置１００及び受信装置２００は、Ｄｉｓｐｌａｙ  Ｐｏｒｔ規格に対応する装置であるものとする。送信装置１００は、画像データ及び音声データの少なくとも一つを受信装置２００に送信する外部装置であれば良いものとする。送信装置１００は、例えば、カメラ、レコーダやプレイヤー等であるものとする。受信装置２００は、送信装置１００から受信した画像データ及び音声データの少なくとも一つを表示する装置であればよいものとする。受信装置２００は、例えば、パーソナルコンピュータやテレビ等の表示装置であってもよい。
【００１２】
次に、ケーブル３００及び４００について説明を行う。図１に示すように、ケーブル３００にはＨＰＤ（Ｈｏｔ  Ｐｌｕｇ  Ｄｅｔｅｃｔ）ライン３０１、ＡＵＸ（Ａｕｘｉｌｉａｒｙ）ライン３０２及びＭＡＩＮ  ＬＩＮＫライン３０３が含まれている。また、ケーブル４００には、ＨＰＤライン４０１、ＡＵＸライン４０２及びＭＡＩＮ  ＬＩＮＫライン４０３が含まれている。
【００１３】
ＨＰＤライン３０１及び４０１は、ＨＰＤ信号を受信装置２００から送信装置１００に伝送するためのラインである。
【００１４】
ＨＰＤ信号は、受信装置２００のデバイス情報を送信装置１００が取得することを受信装置２００が送信装置１００に許可しているか否かを示す信号である。
【００１５】
受信装置２００のデバイス情報とは、例えば、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）である。受信装置２００のＥＤＩＤは、受信装置２００の識別データ、受信装置２００の表示能力を示すデータ、受信装置２００の音声出力能力を示すデータ等を含む。また、例えば、受信装置２００のＥＤＩＤには、受信装置２００が対応している画像フォーマットや音声フォーマットを示す情報が含まれている。また、例えば、受信装置２００のＥＤＩＤには、受信装置２００が対応している解像度や色空間を示す情報が含まれている。
【００１６】
ＡＵＸライン３０２及び４０２は、送信装置１００と受信装置２００との間で双方向にコマンドを伝送するためのラインである。
【００１７】
ＭＡＩＮ  ＬＩＮＫライン３０３及び４０３は、送信装置１００から受信装置２００に画像データ及び音声データの少なくとも一つを伝送するためのラインである。
【００１８】
次に、図１を参照し、送信装置１００について説明を行う。送信装置１００は、制御部１０１、画像処理部１０２、操作部１０３、メモリ１０４、記録部１０５、表示部１０６、第１のコネクタ１０７、第１の通信部１０８、第２のコネクタ１０９及び第２の通信部１１０を有する。
【００１９】
制御部１０１は、送信装置１００の各部を制御する。なお、制御部１０１は、メモリ１０４に記録されているコンピュータプログラムを実行することによって、送信装置１００を制御する。
【００２０】
画像処理部１０２は、記録部１０５から供給される画像データに画像処理を行う。画像処理部１０２によって行われる画像処理とは、例えば、受信装置２００から取得したＥＤＩＤに基づいて、記録部１０５から供給される画像データを受信装置２００に送信するための画像データに変換するための処理である。また、画像処理部１０２によって行われる画像処理は、記録部１０５から供給される画像データを表示部１０６に表示する画像データに変換するための処理であってもよい。
【００２１】
画像処理部１０２によって画像処理が行われた画像データは、記録部１０５、表示部１０６、第１の通信部１０８及び第２の通信部１１０の少なくとも一つに供給される。
【００２２】
操作部１０３は、送信装置１００を操作するためのユーザインターフェースを提供する。操作部１０３は、送信装置１００を操作するためのボタン、スイッチ、タッチパネル等を有する。
【００２３】
メモリ１０４には、制御部１０１によって実行されるコンピュータプログラムが格納される。また、メモリ１０４には、第１の通信部１０８及び第２の通信部１１０の少なくとも一つによって取得されたデータが格納される。
【００２４】
記録部１０５は、記録媒体１０５ａにデータを書き込んだり、記録媒体１０５ａからデータを読み出したりすることができる。
【００２５】
記録部１０５は、制御部１０１から指示に応じて、画像データ及び音声データの少なくとも一つを記録媒体１０５ａに記録する。また、記録部１０５は、制御部１０１からの指示に応じて、記録媒体１０５ａから画像データ及び音声データの少なくとも一つを読み出す。
【００２６】
なお、記録媒体１０５ａは、送信装置１００に内蔵されたものであってもよく、送信装置１００から取り外し可能なものであってもよい。
【００２７】
表示部１０６は、画像処理部１０２及び記録部１０５の少なくとも一つから供給される画像データを表示する。なお、表示部１０６は、送信装置１００に接続された外部表示装置を含む。
【００２８】
第１のコネクタ１０７は、ケーブル３００を接続するための出力コネクタである。
【００２９】
第１の通信部１０８は、第１のコネクタ１０７と受信装置２００とがケーブル３００を介して接続されている場合、ケーブル３００を介して受信装置２００と通信する。
【００３０】
第１の通信部１０８は、ＨＰＤライン３０１を介して、ＨＰＤ信号がＨ（Ｈｉｇｈ）レベルであるかＬ（Ｌｏｗ）レベルであるかを検出し、検出したＨＰＤ信号を制御部１０１に通知する。ＨＰＤライン３０１を介して受信装置２００から送信装置１００に伝送されるＨＰＤ信号を以下「第１のＨＰＤ信号」と呼ぶものとする。
【００３１】
第１のＨＰＤ信号がＨレベルであると検出された場合、第１の通信部１０８は、受信装置２００からＥＤＩＤを取得するための要求を受信装置２００にＡＵＸライン３０２を介して送信する。第１のＨＰＤ信号がＨレベルであると検出されていない場合、第１の通信部１０８は、受信装置２００からＥＤＩＤを取得するための要求を受信装置２００にＡＵＸライン３０２を介して送信しない。受信装置２００からＥＤＩＤを取得するための要求を受信装置２００がＡＵＸライン３０２を介して受信した場合、受信装置２００は、ＡＵＸライン３０２を介してＥＤＩＤを送信装置１００に送信する。ＡＵＸライン３０２を介して受信装置２００から送信装置１００に伝送されるＥＤＩＤを以下「第１のＥＤＩＤ（第１のデバイス情報）」と呼ぶ。
【００３２】
第１の通信部１０８は、ＡＵＸライン３０２を介して受信装置２００から第１のＥＤＩＤを取得した場合、第１のＥＤＩＤを制御部１０１に供給する。制御部１０１は、第１の通信部１０８から供給された第１のＥＤＩＤを解析し、解析結果をメモリ１０４に格納する。
【００３３】
第２のコネクタ１０９は、ケーブル４００を接続するための出力コネクタである。
【００３４】
第２の通信部１１０は、第２のコネクタ１０９と受信装置２００とがケーブル４００を介して接続されている場合、ケーブル４００を介して受信装置２００と通信する。
【００３５】
第２の通信部１１０は、ＨＰＤライン４０１を介して、ＨＰＤ信号がＨレベルであるかＬレベルであるかを検出し、検出したＨＰＤ信号を制御部１０１に通知する。ＨＰＤライン４０１を介して受信装置２００から送信装置１００に伝送されるＨＰＤ信号を以下「第２のＨＰＤ信号」と呼ぶものとする。
【００３６】
第２のＨＰＤ信号がＨレベルであると検出された場合、第２の通信部１１０は、受信装置２００からＥＤＩＤを取得するための要求を受信装置２００にＡＵＸライン４０２を介して送信する。第２のＨＰＤ信号がＨレベルであると検出されていない場合、第２の通信部１１０は、受信装置２００からＥＤＩＤを取得するための要求を受信装置２００にＡＵＸライン４０２を介して送信しない。受信装置２００からＥＤＩＤを取得するための要求を受信装置２００がＡＵＸライン４０２を介して受信した場合、受信装置２００は、ＡＵＸライン４０２を介してＥＤＩＤを送信装置１００に送信する。ＡＵＸライン４０２を介して受信装置２００から送信装置１００に伝送されるＥＤＩＤを以下「第２のＥＤＩＤ（第２のデバイス情報）」と呼ぶ。
【００３７】
第２の通信部１１０は、ＡＵＸライン４０２を介して受信装置２００から第２のＥＤＩＤを取得した場合、第２のＥＤＩＤを制御部１０１に供給する。制御部１０１は、第２の通信部１１０から供給される第２のＥＤＩＤを解析し、解析結果をメモリ１０４に格納する。
【００３８】
次に、図１を参照し、受信装置２００について説明を行う。受信装置２００は、制御部２０１、メモリ２０２、電力供給部２０３、画像処理部２０４、表示部２０５、操作部２０６、第１のコネクタ２０７、第１の通信部２０８、第２のコネクタ２０９及び第２の通信部２１０を有する。
【００３９】
制御部２０１は、受信装置２００の各部を制御する。なお、制御部２０１は、メモリ２０２に記録されているコンピュータプログラムを実行することによって、受信装置２００を制御する。なお、制御部２０１は、不図示のタイマー２０１ａを有する。
【００４０】
メモリ２０２には、制御部２０１によって実行されるコンピュータプログラムが格納される。また、メモリ２０２には、第１の通信部２０８及び第２の通信部２１０の少なくとも一つによって取得されたデータが格納される。
【００４１】
電力供給部２０３は、制御部２０１からの指示に応じて、ＡＣアダプタやバッテリのいずれか一つから供給される電力を受信装置２００の各部に供給する。
【００４２】
画像処理部２０４は、第１の通信部２０８及び第２の通信部２１０の少なくとも一つから供給される画像データに画像処理を行う。画像処理部２０４によって行われる画像処理とは、例えば、第１の通信部２０８及び第２の通信部２１０の少なくとも一つから供給される画像データを表示部２０５に表示する画像データに変換するための処理であってもよい。
【００４３】
画像処理部２０４によって画像処理が行われた画像データは、表示部２０５に供給される。
【００４４】
表示部２０５は、第１の通信部２０８、第２の通信部２１０及び画像処理部２０４の少なくとも一つから供給される画像データを表示する。なお、表示部２０５は、受信装置２００に接続された外部表示装置を含む。
【００４５】
操作部２０６は、受信装置２００を操作するためのユーザインターフェースを提供する。操作部２０６は、受信装置２００を操作するためのボタン、スイッチ、タッチパネル等を有する。
【００４６】
第１のコネクタ２０７は、ケーブル３００を接続するための入力コネクタである。
【００４７】
第１の通信部２０８は、第１のコネクタ２０７と送信装置１００とがケーブル３００を介して接続されている場合、ケーブル３００を介して送信装置１００と通信する。
【００４８】
第１の通信部２０８は、ＨＰＤ出力部２０８ａ、ＡＵＸ通信部２０８ｂ、第１の切換部２０８ｃ、メモリ２０８ｄ及びデータ受信部２０８ｅを有する。
【００４９】
ＨＰＤ出力部２０８ａは、Ｈレベルの第１のＨＰＤ信号またはＬレベルの第１のＨＰＤ信号をＨＰＤライン３０１を介して送信装置１００に出力する。
【００５０】
ＡＵＸ通信部２０８ｂは、ＡＵＸライン３０２を介して送信装置１００と通信を行う。
第１のコネクタ２０７と送信装置１００とがケーブル３００を介して接続されている場合、制御部２０１は、第１の切換部２０８ｃをオンにすることによって、ＡＵＸライン３０２とメモリ２０８ｄとを接続する。第１のコネクタ３０７に送信装置１００がケーブル３００を介して接続されている場合、制御部２０１は、第１の切換部２０８ｃをオフにすることによって、ＡＵＸライン３０２とメモリ２０８ｄとを切断する。
【００５１】
メモリ２０８ｄ（第１のメモリ）は、第１のＥＤＩＤを格納する。
【００５２】
ＨＰＤ出力部２０８ａは、受信装置２００が第１のＥＤＩＤの取得を送信装置１００に許可している場合、Ｈレベルの第１のＨＰＤ信号をＨＰＤライン３０１を介して送信装置１００に出力する。ＨＰＤ出力部２０８ａは、受信装置２００が第１のＥＤＩＤの取得を送信装置１００に許可していない場合、Ｌレベルの第１のＨＰＤ信号をＨＰＤライン３０１を介して送信装置１００に出力する。
【００５３】
第１の切換部２０８ｃがオンである場合、送信装置１００は、第１のＥＤＩＤを取得することができるが、第１の切換部２０８ｃがオフである場合、送信装置１００は、第１のＥＤＩＤを取得することはできない。
【００５４】
データ受信部２０８ｅは、ＭＡＩＮ  ＬＩＮＫライン３０３を介して送信装置１００から送信される画像データ及び音声データの少なくとも一つを受信する。データ受信部２０８ｅは、送信装置１００から受信した画像データを画像処理部２０４に供給する。
【００５５】
第２のコネクタ２０９は、ケーブル４００を接続するための入力コネクタである。
【００５６】
第２の通信部２１０は、第２のコネクタ２０９と送信装置１００とがケーブル４００を介して接続されている場合、ケーブル４００を介して送信装置１００と通信する。
【００５７】
第２の通信部２１０は、ＨＰＤ出力部２１０ａ、ＡＵＸ通信部２１０ｂ、第２の切換部２１０ｃ、メモリ２１０ｄ及びデータ受信部２１０ｅを有する。
【００５８】
ＨＰＤ出力部２１０ａは、Ｈレベルの第２のＨＰＤ信号またはＬレベルの第２のＨＰＤ信号をＨＰＤライン４０１を介して送信装置１００に出力する。
【００５９】
ＡＵＸ通信部２１０ｂは、ＡＵＸライン４０２を介して送信装置１００と通信を行う。
第２のコネクタ２０９と送信装置１００とがケーブル４００を介して接続されている場合、制御部２０１は、第２の切換部２１０ｃをオンにすることによって、ＡＵＸライン４０２とメモリ２１０ｄとを接続する。第２のコネクタ２０９と送信装置１００とがケーブル４００を介して接続されている場合、制御部２０１は、第２の切換部２１０ｃをオフにすることによって、ＡＵＸライン４０２とメモリ２１０ｄとを切断する。
【００６０】
メモリ２１０ｂ（第２のメモリ）は、第２のＥＤＩＤを格納する。
【００６１】
ＨＰＤ出力部２１０ａは、受信装置２００が第２のＥＤＩＤの取得を送信装置１００に許可している場合、Ｈレベルの第２のＨＰＤ信号をＨＰＤライン４０１を介して送信装置１００に出力する。ＨＰＤ出力部２１０ａは、受信装置２００が第２のＥＤＩＤの取得を送信装置１００に許可していない場合、Ｌレベルの第２のＨＰＤ信号をＨＰＤライン４０１を介して送信装置１００に出力する。
【００６２】
第２の切換部２１０ｃがオンである場合、送信装置１００は、第２のＥＤＩＤを取得することができるが、第２の切換部２１０ｃがオフである場合、送信装置１００は、第２のＥＤＩＤを取得することはできない。
【００６３】
データ受信部２１０ｅは、ＭＡＩＮ  ＬＩＮＫライン４０３を介して送信装置１００から送信される画像データ及び音声データの少なくとも一つを受信する。データ受信部２１０ｅは、送信装置１００から受信した画像データを画像処理部２０４に供給する。
【００６４】
（送信処理）
次に図２のフローチャートを参照し、送信処理について説明を行う。図２に示す送信処理は、制御部１０１がメモリ１０４に記録されているプログラムを実行することによって、送信装置１００によって行われる処理である。なお、制御部１０１は、サーバやＯＳ（オペレーティングシステム）を介してメモリ１０４や不図示の制御部１０１のメモリに供給されたプログラムを実行することによって、図２に示す送信処理を行ってもよいものとする。なお、図２の送信処理は、送信装置１００の電源がオンであり、送信装置１００が分割送信モードである場合に、制御部１０１によって行われるものとする。分割送信モードとは、受信装置２００に送信する対象となる画像データを複数の画像データに分割し、分割された各画像データを第１の通信部１０８及び第２の通信部１１０を用いて受信装置２００に送信するための動作モードである。なお、分割送信モードは、４Ｋ２Ｋ（３８４０×２１６０）等の解像度の画像データを受信装置２００の送信するための動作モードである。
【００６５】
不図示の電源から第１の通信部１０８及び第２の通信部１１０に電力が供給された場合、制御部１０１は、Ｓ２０１の処理を行う。
【００６６】
Ｓ２０１において、制御部１０１は、受信装置２００の電源をオンにするための電源オンコマンドを受信装置２００に送信するように第１の通信部１０８または第２の通信部１１０を制御し、Ｓ２０２に進む。
【００６７】
Ｓ２０２において、制御部１０１は、第１のＨＰＤ信号がＨレベルであるか否かを検出する。第１のＨＰＤ信号がＨレベルであることが検出された場合、Ｓ２０３に進む。第１のＨＰＤ信号がＨレベルでないことが検出された場合、Ｓ２１２に進む。
【００６８】
Ｓ２０３において、制御部１０１は、受信装置２００から第１のＥＤＩＤを取得するための要求を送信するように第１の通信部１０８を制御し、Ｓ２０４に進む。
【００６９】
Ｓ２０４において、Ｓ２０３で受信装置２００に要求した第１のＥＤＩＤを第１の通信部１０８が受信したか否かを判定する。第１の通信部１０８が第１のＥＤＩＤを受信した場合、Ｓ２０５に進む。第１の通信部１０８が第１のＥＤＩＤを受信していない場合、Ｓ２１２に進む。
【００７０】
Ｓ２０５において、制御部１０１は、第１の画像データを受信装置２００に送信する処理を行う。
【００７１】
例えば、制御部１０１は、記録部１０５から供給される画像データ及び第１の通信部１０８が受信した第１のＥＤＩＤに基づいて、受信装置２００に送信するための第１の画像データを生成するように画像処理部１０２を制御する。その後、制御部１０１は、画像処理部１０２によって生成された第１の画像データを受信装置２００に送信するように第１の通信部１０８を制御する。第１の画像データが第１の通信部１０８によって送信された後、Ｓ２０６に進む。
【００７２】
Ｓ２０６において、制御部１０１は、第２のＨＰＤ信号がＨレベルであるか否かを検出する。第２のＨＰＤ信号がＨレベルであることが検出された場合、Ｓ２０７に進む。第２のＨＰＤ信号がＨレベルでないことが検出された場合、本フローチャートはＳ２１３に進む。
【００７３】
Ｓ２０７において、制御部１０１は、受信装置２００から第２のＥＤＩＤを取得するための要求を送信するように第２の通信部１１０を制御し、Ｓ２０８に進む。
【００７４】
Ｓ２０８において、Ｓ２０７で受信装置２００に要求した第２のＥＤＩＤを第２の通信部１１０が受信したか否かを判定する。第２の通信部１１０が第２のＥＤＩＤを受信した場合、Ｓ２０９に進む。第２の通信部１１０が第２のＥＤＩＤを受信していない場合、Ｓ２１３に進む。
【００７５】
Ｓ２０９において、制御部１０１は、第２の画像データを受信装置２００に送信する処理を行う。
【００７６】
例えば、制御部１０１は、記録部１０５から供給される画像データ及び第２の通信部１１０が受信した第２のＥＤＩＤに基づいて、受信装置２００に送信するための第２の画像データを生成するように画像処理部１０２を制御する。その後、制御部１０１は、画像処理部１０２によって生成された第２の画像データを受信装置２００に送信するように第２の通信部１１０を制御する。第２の画像データが第２の通信部１１０によって送信された後、Ｓ２１０に進む。
【００７７】
Ｓ２１０において、制御部１０１は、受信装置２００への画像データの送信が終了したか否かを判定する。受信装置２００への画像データの送信が終了した場合、Ｓ２１１に進む。受信装置２００への画像データの送信が終了していない場合、Ｓ２０１に戻る。
【００７８】
Ｓ２１１において、制御部１０１は、受信装置２００をパワーセーブモードに変更するためのパワーセーブコマンドを受信装置２００に送信するように第１の通信部１０８または第２の通信部１１０を制御し、本フローチャートを終了する。
【００７９】
なお、電源オンコマンド及びパワーセーブコマンドは、電力供給部２０３を制御するためのコマンドである。
【００８０】
Ｓ２１２において、制御部１０１は、第１の画像データの送信を停止するように第１の通信部１０８を制御し、Ｓ２０６に進む。
【００８１】
Ｓ２１３において、制御部１０１は、第２の画像データの送信を停止するように第２の通信部１１０を制御し、Ｓ２１０に進む。
【００８２】
（受信処理）
次に図３のフローチャートを参照し、受信処理について説明を行う。図３に示す受信処理は、制御部２０１がメモリ２０２に記録されているプログラムを実行することによって、受信装置２００によって行われる処理である。なお、制御部２０１は、サーバやＯＳを介してメモリ２０２や不図示の制御部２０１のメモリに供給されたプログラムを実行することによって、図３に示す受信処理を行ってもよいものとする。なお、図３の受信処理は、受信装置２００の電源がオンであり、受信装置２００が合成表示モードである場合に制御部２０１によって行われるものとする。受信装置２００の電源がオンである場合とは、電力供給部２０３から受信装置２００全体に電力が供給されている状態である。合成表示モードとは、第１の通信部２０８が受信した画像データと第２の通信部２１０が受信した画像データとを合成することで生成された画像データを表示部２０５に表示させるための動作モードである。なお、合成表示モードは、４Ｋ２Ｋ（３８４０×２１６０）等の高解像度の画像データを表示するための動作モードである。
【００８３】
Ｓ３０１において、制御部２０１は、第１の通信部２０８及び第２の通信部２１０に電力を供給するように電力供給部２０３を制御し、Ｓ３０２に進む。
【００８４】
送信装置１００において、第１の通信部１０８及び第２の通信部１１０は、それぞれにおいてＥＤＩＤを取得してから、受信装置２００に画像データを送信する処理を開始する。しかしながら、第１の通信部１０８が第１のＥＤＩＤを取得するタイミングと、第２の通信部１１０が第２のＥＤＩＤを取得するタイミングとは、必ずしも一致しない。そのため、第１の通信部１０８が画像データを受信装置２００に送信するタイミングと、第２の通信部１１０が画像データを受信装置２００に送信するタイミングとがずれてしまう。このような場合、受信装置２００において、第１の通信部２０８が第１の画像データを受信し、かつ、第２の通信部２１０が第２の画像データを受信するまでの間、表示部２０５に画像データの表示を行うことができないという問題がある。
【００８５】
このような問題を解消するために、受信装置２００は、Ｓ３０２及びＳ３０３を行うことにより、第１の通信部１０８が第１のＥＤＩＤを取得するタイミングと、第２の通信部１１０が第２のＥＤＩＤを取得するタイミングとを合わせるようにする。
【００８６】
Ｓ３０２において、制御部２０１は、全ての通信部に対してＨレベルのＨＰＤ信号を出力するように制御する。例えば、制御部２０１は、ＨＰＤ出力部２０８ａに対してＨレベルの第１のＨＰＤ信号を出力するように指示し、ＨＰＤ出力部２１０ａに対してＨレベルの第２のＨＰＤ信号を出力するように指示する。既にＨレベルのＨＰＤ信号を出力している通信部が存在する場合、制御部２０１は、Ｓ３０２を行う前に、一旦、ＬレベルのＨＰＤ信号を出力するようにＨレベルのＨＰＤ信号を出力している通信部を制御してから、Ｓ３０２に進む。なお、制御部２０１は、全ての通信部からＨレベルのＨＰＤ信号が出力されてから経過した時間を計測するようにタイマー２０１ａを制御する。Ｓ３０２の処理が行われた場合、Ｓ３０３に進む。
【００８７】
Ｓ３０３において、制御部２０１は、全ての通信部の切換部がオンになるように制御する。例えば、制御部２０１は、第１の切換部２０８ｃ及び第２の切換部２１０ｃをオンにするように制御する。既にオンになっている切換部が存在する場合、制御部２０１は、Ｓ３０３を行う前に、一旦、オフになるようにオンになっている切換部を制御し、Ｓ３０３に進む。Ｓ３０３の処理が行われた場合、Ｓ３０４に進む。
【００８８】
Ｓ３０４において、制御部２０１は、ＡＵＸ通信部２０８ｂが第１のＥＤＩＤを取得するための要求を受信したか否かを判定する。ＡＵＸ通信部２０８ｂが第１のＥＤＩＤを取得するための要求を受信した場合、Ｓ３０５に進む。ＡＵＸ通信部２０８ｂが第１のＥＤＩＤを取得するための要求を受信していない場合、Ｓ３０６に進む。
【００８９】
Ｓ３０５において、制御部２０１は、第１のＥＤＩＤを送信装置１００に送信するようにＡＵＸ通信部２０８ｂを制御し、Ｓ３０６に進む。
【００９０】
Ｓ３０６において、制御部２０１は、ＡＵＸ通信部２１０ｂが第２のＥＤＩＤを取得するための要求を受信したか否かを判定する。ＡＵＸ通信部２１０ｂが第２のＥＤＩＤを取得するための要求を受信した場合、Ｓ３０７に進む。ＡＵＸ通信部２１０ｂが第２のＥＤＩＤを取得するための要求を受信していない場合、Ｓ３０８に進む。
【００９１】
Ｓ３０７において、制御部２０１は、第２のＥＤＩＤを送信装置１００に送信するようにＡＵＸ通信部２１０ｂを制御し、Ｓ３０８に進む。
【００９２】
Ｓ３０８において、制御部２０１は、全てのＥＤＩＤが送信装置１００から要求されたか否かを判定する。例えば、制御部２０１は、第１のＥＤＩＤ及び第２のＥＤＩＤが送信装置１００から要求されたか否かを判定することで、全てのＥＤＩＤが送信装置１００から要求されたか否かを判定する。第１のＥＤＩＤ及び第２のＥＤＩＤが要求された場合、Ｓ３１０に進む。第１のＥＤＩＤ及び第２のＥＤＩＤの少なくとも一つが要求されていない場合、Ｓ３０９に進む。
【００９３】
Ｓ３０９において、制御部２０１は、全ての通信部からＨレベルのＨＰＤ信号が出力されてから所定の時間が経過したか否かを判定する。例えば、制御部２０１は、タイマー２０１ａによって計測されている時間が所定の時間以上であるか否かを判定する。タイマー２０１ａによって計測されている時間が所定の時間以上である場合、制御部２０１は、全ての通信部からＨレベルのＨＰＤ信号が出力されてから所定の時間が経過したと判定し、Ｓ３１２に進む。タイマー２０１ａによって計測されている時間が所定の時間以上でない場合、制御部２０１は、全ての通信部からＨレベルのＨＰＤ信号が出力されてから所定の時間が経過していないと判定し、Ｓ３０４に戻る。
【００９４】
Ｓ３１０において、制御部２０１は、全ての通信部が送信装置１００から画像データを受信したか否かを判定する。例えば、制御部２０１は、第１の画像データをデータ受信部２０８ｅが受信したか否かを判定し、第２の画像データをデータ受信部２１０ｅが受信したか否かを判定する。
【００９５】
第１の画像データをデータ受信部２０８ｅが受信し、かつ、第２の画像データをデータ受信部２１０ｅが受信した場合、制御部２０１は、全ての通信部が送信装置１００から画像データを受信したと判定し、Ｓ３１５に進む。第１の画像データをデータ受信部２０８ｅが受信しておらず、かつ、第２の画像データをデータ受信部２１０ｅが受信した場合、制御部２０１は、全ての通信部が送信装置１００から画像データを受信していないと判定する。第１の画像データをデータ受信部２０８ｅが受信し、かつ、第２の画像データをデータ受信部２１０ｅが受信していない場合も、制御部２０１は、全ての通信部が送信装置１００から画像データを受信していないと判定する。第１の画像データをデータ受信部２０８ｅが受信しておらず、かつ、第２の画像データをデータ受信部２１０ｅが受信していない場合も、制御部２０１は、全ての通信部が送信装置１００から画像データを受信していないと判定する。これらの場合、Ｓ３１１に進む。
【００９６】
Ｓ３１１において、制御部２０１は、画像データの表示を行わせないように表示部２０５を制御し、Ｓ３１２に進む。
【００９７】
Ｓ３１２において、制御部２０１は、全ての通信部の切換部がオフになるように制御する。例えば、制御部２０１は、第１の切換部２０８ｃ及び第２の切換部２１０ｃをオフにするように制御し、Ｓ３１３に進む。
【００９８】
Ｓ３１３において、制御部２０１は、受信装置２００をパワーセーブモードに設定する。受信装置２００がパワーセーブモードである場合とは、受信装置２００の複数の通信部のうちの一つ以外の通信部への電力供給が制限されている状態である。なお、制御部２０１は、受信装置２００がパワーセーブモードである場合に、電力供給部２０３から表示部２０５への電力供給が制限されるようにしてもよい。
【００９９】
例えば、Ｓ３１３において、制御部２０１は、メモリ２０８ｄに格納されているＤＰＣＤ（Ｄｉｓｐｌａｙ  Ｐｏｒｔ  Ｃｏｎｆｉｇｕｒａｔｉｏｎ  Ｄａｔａ）レジスタのＳＥＴ＿ＰＯＷＥＲ＿ＳＴＡＴＥに２ｈを書き込む。その後、制御部２０１は、ＡＵＸ通信部２０８ｂ以外の第１の通信部２０８に電力供給を行わないように電力供給部２０３を制御し、第２の通信部２１０全体に電力供給を行わないように電力供給部２０３を制御する。なお、この場合、制御部２０１は、ＡＵＸ通信部２０８ｂ及びＨＰＤ出力部２０８ａに継続して電力供給が行われるように電力供給部２０３を制御し、データ受信部２０８ｅに電力供給が行われないように電力供給部２０３を制御してもよい。これによって、制御部２０１は、受信装置２００をパワーセーブモードに設定する。なお、受信装置２００がパワーセーブモードであっても、受信装置２００は、ＡＵＸ通信部２０８ｂによるＡＵＸライン３０２を介した通信を行うことができる。このため、制御部２０１は、送信装置１００が電源オンコマンドをＡＵＸライン３０２を介して受信装置２００に送信した場合に、再び、受信装置２００の電源をオンにすることができる。
【０１００】
また、例えば、Ｓ３１３において、制御部２０１は、メモリ２１０ｄに格納されているＤＰＣＤレジスタのＳＥＴ＿ＰＯＷＥＲ＿ＳＴＡＴＥに２ｈを書き込む。その後、制御部２０１は、ＡＵＸ通信部２１０ｂ以外の第２の通信部２１０に電力供給を行わないように電力供給部２０３を制御し、第１の通信部２０８に電力供給を行わないように電力供給部２０３を制御してもよい。なお、この場合、制御部２０１は、ＡＵＸ通信部２１０ｂ及びＨＰＤ出力部２１０ａに継続して電力供給が行われるように電力供給部２０３を制御し、データ受信部２１０ｅに電力供給が行われないように電力供給部２０３を制御してもよい。これによって、制御部２０１は、受信装置２００をパワーセーブモードに設定することができる。なお、受信装置２００がパワーセーブモードであっても、受信装置２００は、ＡＵＸ通信部２１０ｂによるＡＵＸライン４０２を介した通信を行うことができる。このため、制御部２０１は、送信装置１００が電源オンコマンドをＡＵＸライン４０２を介して受信装置２００に送信した場合に、再び、受信装置２００の電源をオンにすることができる。
【０１０１】
Ｓ３１３において行われる処理は、第１の通信部２０８及び第２の通信部２１０のいずれか一つによりＡＵＸラインを介した通信を行うことができる状態に受信装置２００を変更するものであればよいものとする。Ｓ３１３が行われた後、本フローチャートは、Ｓ３１４に進む。
【０１０２】
Ｓ３１４において、制御部２０１は、ＡＵＸ通信部２０８ｂ及びＡＵＸ通信部２１０ｂのいずれか一つが電源オンコマンドを受信したか否かを判定する。ＡＵＸ通信部２０８ｂ及びＡＵＸ通信部２１０ｂのいずれか一つが電源オンコマンドを受信した場合、Ｓ３１８に進む。ＡＵＸ通信部２０８ｂ及びＡＵＸ通信部２１０ｂが電源オンコマンドを受信していない場合、本フローチャートは終了する。
【０１０３】
Ｓ３１５において、制御部２０１は、各通信部が送信装置１００から受信した画像データを合成して表示部２０５に表示させる。例えば、制御部２０１は、データ受信部２０８ｅが受信した第１の画像データと、データ受信部２１０ｅが受信した第２の画像データとを合成するように画像処理部２０４を制御する。その後、制御部２０１は、画像処理部２０４によって合成された画像データを表示部２０５に表示させる。表示部２０５が画像処理部２０４によって生成された画像データを表示した後、Ｓ３１６に進む。
【０１０４】
Ｓ３１６において、制御部２０１は、ＡＵＸ通信部２０８ｂ及びＡＵＸ通信部２１０ｂのいずれか一つがパワーセーブコマンドを受信したか否かを判定する。ＡＵＸ通信部２０８ｂ及びＡＵＸ通信部２１０ｂのいずれか一つがパワーセーブコマンドを受信した場合、Ｓ３１２に進む。ＡＵＸ通信部２０８ｂ及びＡＵＸ通信部２１０ｂがパワーセーブコマンドを受信していない場合、Ｓ３１７に進む。
【０１０５】
Ｓ３１７において、制御部２０１は、送信装置１００から送信される画像データの表示を終了するか否かを判定する。例えば、制御部２０１は、送信装置１００から送信される画像データ以外の画像データを表示するための操作が操作部２０６に対して行われたか否かに応じて、送信装置１００から送信される画像データの表示を終了するか否かを判定する。送信装置１００から送信される画像データ以外の画像データを表示するための操作が操作部２０６に対して行われた場合、制御部２０１は、送信装置１００から送信される画像データの表示を終了すると判定し、Ｓ３１２に進む。制御部２０１は、送信装置１００から送信される画像データの表示を終了しないと判定した場合、Ｓ３１０に戻る。
【０１０６】
Ｓ３１８において、制御部２０１は、受信装置２００をパワーセーブモードから解除する。
【０１０７】
即ち、メモリ２０８ｄのＤＰＣＤレジスタのＳＥＴ＿ＰＯＷＥＲ＿ＳＴＡＴＥに２ｈが書き込まれている場合、Ｓ３１８において、制御部２０１は、メモリ２０８ｄのＤＰＣＤレジスタのＳＥＴ＿ＰＯＷＥＲ＿ＳＴＡＴＥに０ｈを書き込む。メモリ２１０ｄのＤＰＣＤレジスタのＳＥＴ＿ＰＯＷＥＲ＿ＳＴＡＴＥに２ｈが書き込まれている場合、Ｓ３１８において、制御部２０１は、メモリ２１０ｄのＤＰＣＤレジスタのＳＥＴ＿ＰＯＷＥＲ＿ＳＴＡＴＥに０ｈを書き込む。その後、本フローチャートは、Ｓ３０１に戻る。その後、Ｓ３０１が行われることにより、電力供給部２０３から第１の通信部２０８及び第２の通信部２１０への電力供給が再開される。
【０１０８】
このように、実施例１に係る受信装置２００は、データ受信部２０８ｅ及びデータ受信部２１０ｅがそれぞれ受信した画像データに応じて生成された画像データの表示が終了する場合（Ｓ３１７でＹｅｓ）、受信装置２００をパワーセーブモードに設定した。
【０１０９】
さらに、受信装置２００は、データ受信部２０８ｅ及びデータ受信部２１０ｅの少なくとも一つが画像データを受信していない場合（Ｓ３１０でＮｏ）、受信装置２００をパワーセーブモードに設定している。
【０１１０】
さらに、受信装置２００は、第１の通信部１０８及び第２の通信部１１０の少なくとも一つが受信装置２００のデバイス情報を要求していない場合（Ｓ３０９でＹｅｓ）、受信装置２００をパワーセーブモードに設定している。
【０１１１】
これにより、受信装置２００の消費電力を低減させることができる。
【０１１２】
さらに、受信装置２００は、パワーセーブモードに設定された場合であっても、送信装置１００とコマンドを用いた通信を行うことができるので、送信装置１００から送信されるコマンドに応じて、受信装置２００をパワーセーブモードから解除することができる。
【０１１３】
さらに、受信装置２００は、受信装置２００をパワーセーブモードから解除した後に、第１のＥＤＩＤを送信装置１００に取得させるタイミングと、第２のＥＤＩＤを送信装置１００に取得させるタイミングと合わせるようにした。これにより、受信装置２００は、第１の通信部１０８が画像データを受信装置２００に送信するタイミングと、第２の通信部１１０が画像データを受信装置２００に送信するタイミングとがずれないようにすることができる。そのため、受信装置２００は、第１の通信部２０８及び第２の通信部２１０が画像データを送信装置１００から受信するまでの間、表示部２０５に画像データの表示を行うことができないような事態を解消することができる。
【０１１４】
なお、制御部２０１は、Ｓ３０２及びＳ３０３を行うことによって、第１の通信部１０８が第１のＥＤＩＤを取得するタイミングと、第２の通信部１１０が第２のＥＤＩＤを取得するタイミングと合わせるようにした。しかし、これに限られないものとする。例えば、制御部２０１は、Ｓ３０２及びＳ３０３のいずれか一つを行うことによって、第１の通信部１０８が第１のＥＤＩＤを取得するタイミングと、第２の通信部１１０が第２のＥＤＩＤを取得するタイミングと合わせるようにしてもよい。
【０１１５】
なお、Ｓ３１２において、制御部２０１は、メモリ２０８ｄ及びメモリ２１０ｄのいずれか一つに格納されているＤＰＣＤレジスタのＳＥＴ＿ＰＯＷＥＲ＿ＳＴＡＴＥに２ｈを書き込むことで、受信装置２００をパワーセーブモードに設定していた。しかし、これに限られないものとする。
【０１１６】
例えば、制御部２０１は、メモリ２０８ｄのＤＰＣＤレジスタのＳＥＴ＿ＰＯＷＥＲ＿ＳＴＡＴＥと、メモリ２１０ｄのＤＰＣＤレジスタのＳＥＴ＿ＰＯＷＥＲ＿ＳＴＡＴＥとに交互に２ｈが書き込まれるようにしてもよい。
【０１１７】
なお、ケーブル３００及び４００は、Ｄｉｓｐｌａｙ  Ｐｏｒｔ規格に準拠した通信インターフェースであるものとしたが、これに限られないものとする。また、送信装置１００及び受信装置２００は、Ｄｉｓｐｌａｙ  Ｐｏｒｔ規格に対応する装置であるものとしたが、これに限られないものとする。例えば、ケーブル３００及び４００は、Ｄｉｓｐｌａｙ  Ｐｏｒｔ規格の代わりにＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）規格に対応するものであってもよい。例えば、ケーブル３００及び４００は、Ｄｉｓｐｌａｙ  Ｐｏｒｔ規格の代わりにＭＨＬ（Ｍｏｂｉｌｅ  Ｈｉｇｈ−ｄｅｆｉｎｉｔｉｏｎ  Ｌｉｎｋ）規格に対応するものであってもよい。送信装置１００及び受信装置２００は、Ｄｉｓｐｌａｙ  Ｐｏｒｔ規格の代わりにＨＤＭＩ（登録商標）規格やＭＨＬ規格に対応する装置であってもよい。
【０１１８】
また、実施例１において、ケーブル３００及び４００によって送信装置１００と受信装置２００とが接続されるものとして説明を行った。しかし、これに限られるものではない。例えば、図２の送信処理及び図３の受信処理は、３本以上のケーブルによって送信装置１００と受信装置２００とが接続される通信システムにおいて、行われるものであってもよい。そのため、送信装置１００は、第１の通信部１０８と同様な構成を持つ通信部を３つ以上有するものであってもよく、受信装置２００は、第１の通信部２０８と同様な構成を持つ通信部を３つ以上有するものであってもよい。
【０１１９】
（他の実施例）
本発明に係る受信装置は、実施例１で説明した受信装置２００に限定されるものではない。例えば、本発明に係る受信装置は、複数の装置から構成されるディスクリートなシステムにより実現することも可能である。
【０１２０】
また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【０１２１】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０１２２】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０１２３】
１００  送信装置
２００  受信機器
【図１】
2015019226.tif 000003
【図２】
2015019226.tif 000004
【図３】
2015019226.tif 000005